(57)【要約】【課題】雨水を円滑に流下させると共に、サイフォン雨樋システム全体の収まりを良好にするエルボを提供する。【解決手段】本発明に係るエルボ１４は、サイフォン発生部の下流側に設置されるエルボであって、曲管部３２と、曲管部３２の両端に設けられた受け口３０Ａ，３０Ｂを備え、曲管部３２における内周側３２Ｎの内壁面Ｐ３２の曲率半径が０ｍｍよりも大きく、かつ、６４ｍｍよりも小さい。【選択図】図４
2019007220.tif 000002
【特許請求の範囲】
【請求項１】
軒樋と竪樋を備えた雨樋にサイフォン現象を発生させるためのサイフォン発生部の下流側に設置されるエルボであって、
曲管部と、
前記曲管部の両端に設けられた受け口と、を備え、
前記曲管部の管軸を含む平面における断面で見たときの前記曲管部において、内周側の内壁面の曲率半径が０ｍｍよりも大きく、かつ、６４ｍｍよりも小さいことを特徴とするエルボ。
【請求項２】
両端の前記受け口を通る軸線同士が４５°以下で交差していることを特徴とする請求項１に記載のエルボ。
【請求項３】
請求項２に記載のエルボを二つ以上備え、
一のエルボの受け口と他のエルボの受け口との間に短管が嵌合され、前記受け口同士が接続されていることを特徴とする組み合わせエルボ。
【請求項４】
請求項１又は２に記載のエルボ、又は請求項３に記載の組み合わせエルボを備えたサイフォン雨樋システムであって、
前記サイフォン発生部を有する雨樋上流部の下流側に前記エルボの一端が接続され、
前記エルボの他端が雨樋下流部に接続されていることを特徴とするサイフォン雨樋システム。
【請求項５】
前記サイフォン発生部は軒樋の底面に形成された集水口の開口を覆うように前記軒樋の底面の上方に配置された蓋部材であり、
前記集水口に前記エルボが接続されていることを特徴とする請求項３に記載のサイフォン雨樋システム。
【発明の詳細な説明】
【技術分野】
【０００１】
本発明は、エルボ、組み合わせエルボ及びサイフォン雨樋システムに関する。
【背景技術】
【０００２】
一般に、建築物には、屋根から流れ落ちる雨水を受け止め、地上へと流し込むための雨樋が設けられている。雨樋は、軒樋、集水器、竪樋、直管、エルボ等の部材が複数組みあわされて構成されている。近年、雨樋の排水能力を高めるために、竪樋の内部を満水状態にすることで、水の吸引作用（所謂、サイフォン現象）を発生させ、排水量を飛躍的に増大させるサイフォン雨樋システムが提案されている。
【０００３】
例えば、特許文献１には、軒先に取り付けられた軒樋の底部に、家屋の外壁材に沿って縦方向に配設した３〜１３ｃｍ２の開口面積を有するサイフォン管の上端が接続されたサイフォン式雨水排水装置が開示されている。
【先行技術文献】
【特許文献】
【０００４】
【特許文献１】特許第４１３０６１６号公報
【発明の概要】
【発明が解決しようとする課題】
【０００５】
サイフォン雨樋システムにおいて雨水を縦引きから横引きにする部分（又は、その逆に雨水を横引きから縦引きにする部分）には、直管同士を接続するための継手としてエルボが用いられる。従来規格化されているエルボとしては、例えば９０°曲がりエルボ（所謂、ＤＬ）、９０°大曲がりエルボ（所謂、ＬＬ）がある。
【０００６】
しかしながら、９０°曲がりエルボの内周側の内壁部の曲率半径は０ｍｍであって、内周側の内壁部は直角に形成されているため、サイフォン雨樋システムに９０°曲がりエルボを使用すると、直角に形成された内周側の内壁部で雨水の流速が低下する。これにより、サイフォン雨樋システムの排水能力が低下し、集水箇所で雨水が溢れ出しかねないという問題があった。一方、９０°大曲がりエルボの内周側の内壁部の曲率半径は６４．６ｍｍであって、９０°曲がりエルボのように内部を流れる雨水の流速が低下するという問題は解消されるが、一方で、軒先におけるサイフォン雨樋システムの収まりが悪くなるという問題があった。特に、工場のように軒先の小さい非住宅では、収まりの悪さが露見し易い。
【０００７】
本発明は、上述の事情を鑑みてなされたものであり、雨水を円滑に流下させると共に、サイフォン雨樋システム全体の収まりを良好にするエルボ、組み合わせエルボ、及び該エルボや該組み合わせエルボを備えたサイフォン雨樋システムを提供する。
【課題を解決するための手段】
【０００８】
本発明に係るエルボは、雨樋にサイフォン現象を発生させるためのサイフォン発生部の下流側に設置されるエルボであって、曲管部と、前記曲管部の両端に設けられた受け口と、を備え、前記曲管部の管軸を含む平面における断面で見たときの前記曲管部において、内周側の内壁面の曲率半径が０ｍｍよりも大きく、かつ、６４ｍｍよりも小さいことを特徴とする。
【０００９】
上述の構成では、エルボの一方の受け口から流入した雨水が内周面側の内壁面で滞ることなく、他方の受け口に向かって円滑に流れる。また、曲管部の曲率半径が６４ｍｍよりも小さいので、サイフォン雨樋システムの収まりが良くなる。
【００１０】
また、本発明に係るエルボは、上述のエルボの両端の前記受け口を通る軸線同士が４５°以下で交差していることを特徴とする。
【００１１】
上述の構成によれば、エルボの一方の受け口から流入した雨水が内壁面の傾斜面で滞ることなく、傾斜面に沿って、他方の受け口に向かって円滑に流れる。また、上述の構成を備えた二つ以上のエルボの受け口同士を接続することで、９０°曲がりエルボのように全体の軸線が９０°で屈曲するエルボが得られる。
【００１２】
本発明に係る組み合わせエルボは、上述のように両端の前記受け口を通る軸線同士が４５°以下で交差しているエルボを二つ以上備え、一のエルボの受け口と他のエルボの受け口との間に短管が嵌合され、前記受け口同士が接続されていることを特徴とする。
【００１３】
上述の構成によれば、エルボの一方の受け口から流入した雨水が内周面側の内壁面で滞ることなく、エルボの他方の受け口に向かって円滑に流れるので、組み合わせエルボの全体の雨水の流れも円滑になる。また、曲管部の曲率半径が６４ｍｍよりも小さいので、サイフォン雨樋システムの収まりが良くなる。
【００１４】
本発明に係るサイフォン雨樋システムは、上述のエルボ又は組み合わせエルボを備えたサイフォン雨樋システムであって、前記サイフォン発生部を有する雨樋上流部の下流側に前記エルボの一端が接続され、前記エルボの他端が雨樋下流部に接続されていることを特徴とする。
【００１５】
上述の構成によれば、サイフォン発生部で発生したサイフォン現象によって雨水が満水状態で雨樋上流部に接続されるエルボの一端から曲管部に流入した際に、雨水が内壁面の内周面側で滞ることなく、雨樋下流部に接続される他端に向かって円滑に流れる。また、エルボの曲管部の曲率が適度に設定されていることで、サイフォン雨樋システムの収まりが良くなる。
【００１６】
本発明に係るサイフォン雨樋システムでは、前記サイフォン発生部は上面視で軒樋の底面に形成された集水口の開口を覆うように前記軒樋の底面の上方に配置された蓋部材であり、前記集水口に前記エルボが接続されていてもよい。
【００１７】
上述の構成によれば、軒樋によって集水口に集められた雨水が軒樋の底面と蓋部材の上面との間に導かれ、集水口及びエルボに満水状態で流入するので、サイフォン現象が良好に発生する。
【発明の効果】
【００１８】
本発明のエルボ、組み合わせエルボ、及びサイフォン雨樋システムによれば、雨水を円滑に流下させると共に、サイフォン雨樋システム全体の収まりを良好にすることができる。
【図面の簡単な説明】
【００１９】
【図１】本発明の第１実施形態のサイフォン雨樋システムの側面図である。
【図２】本発明の第１実施形態のサイフォン雨樋システムの集水口に設置可能なサイフォンドレン部材の一例を示す断面図である。
【図３】本発明の第１実施形態のサイフォン雨樋システムの集水口に設置可能なサイフォンドレン部材の一例を示す別の断面図である。
【図４】図１に示すサイフォン雨樋システムに用いられるエルボの側断面図である。
【図５】図１に示すサイフォン雨樋システムに用いられるエルボの斜視断面図である。
【図６】本発明の第２実施形態のサイフォン雨樋システムに用いらいるエルボの側断面図である。
【発明を実施するための形態】
【００２０】
以下、本発明に係るサイフォン雨樋システム用のエルボ、組み合わせエルボ及びサイフォン雨樋システムの実施形態について、図面を参照して説明する。なお、以下の説明で用いる図面は模式的なものであり、長さ、幅、及び厚みの比率等は実際のものと同一とは限らず、適宜変更することができる。
【００２１】
（第一実施形態）
本発明を適用した第一実施形態のサイフォン雨樋システム（雨樋）１は、略水平になるよう軒先に固定された軒樋１０と、軒樋１０の底面と接続されたエルボ１４と、エルボ１４の下流側の端部と接続された直管１６（呼び樋ともいう）、直管１６の下流側の端部と接続されたエルボ１８と、エルボ１８の下流側の端部と接続された直管２０（竪樋ともいう）と、を備えている。図示していないが、直管２０は地面に対して略垂直になるよう建築物の壁面に固定されており、９０°曲がりエルボ１８が接続された直管２０の上端部の反対側となる直管２０の下端部は、公知の排水枡や排水管等の排水構造に適宜接続されている。ここで、エルボ１４、直管１６、及びエルボ１８を一体のエルボ構造と解釈すれば、軒樋１０が本発明の雨樋上流部に相当し、直管２０が本発明の雨樋下流部に相当する。
【００２２】
軒樋１０は、不図示の建築物の軒下に設けられている。軒樋１０は、図１に示すＤ１方向に直交する断面視において底面１０ｂと底面１０ｂの両側から上方に立ち上がる側面１０ｓとを有すると共に、上方に向けて開口し、Ｄ１方向に延在している。本発明における軒樋１０は、工場や駅舎などの大きな屋根面積を有する非住宅建築物に用いられることが想定されている。このような構成では、大面積の屋根から流れ込む雨水を排水するのに十分な流量を確保するため、軒樋１０の底面１０ｂの幅（底面１０ｂの長尺方向と直交する方向の長さ）は少なくとも１００ｍｍ以上が好ましく、１２０ｍｍ以上がより好ましく、１５０ｍｍ以上が最も好ましい。底面１０ｂの上限幅は、特に限定されないが、３００ｍｍ以下が好ましい。
【００２３】
軒樋１０の底面１０ｂには、集水口１２が形成されている。軒樋１０の底面１０ｂの内側は、Ｄ１方向において集水口１２が最低部となるように傾斜している。なお、軒樋１０の底面１０ｂの外側は略水平に形成され、かつ底面１０ｂの内側のみが前述のように傾斜していてもよく、軒樋１０自体が集水口１２を最低部として傾斜するように設置されていてもよい。
【００２４】
集水口１２には、サイフォン雨樋システム１にサイフォン現象を発生させるためのサイフォン発生部５０が設けられている。サイフォン発生部５０は、集水口１２の開口を覆うように軒樋１０の底面１０ｂの上方に配置された蓋部材であることが好ましい。集水口１２には、エルボ１４の受け口３０Ａが接続されている。
【００２５】
上述の蓋部材としては、例えば、図２に示すサイフォンドレン部材５１や図３に示すサイフォンドレン部材５２が挙げられる。図２に示すように、サイフォンドレン部材５１は、板状に形成された網６１と、落し口７０を有してエルボ１４の受け口３０Ａに嵌合される装着筒６２と、網６１と装着筒６２とを接続し、上面視で落し口７０に重ならない位置で周方向に間隔をあけて配置された複数の縦リブ６３と、網６１と装着筒６２との接続部分から径方向外側に拡径するフランジ６４と、を備えている。網６１は、集水口１２にゴミ等が流入しないようにするためのゴミ除けである。装着筒６２の外径は、集水口１２に嵌入可能な径に設定されている。装着筒６２の外周面には、雄ねじが形成されている。
【００２６】
サイフォンドレン部材５１に組み合わさる例では、エルボ１４の受け口３０Ａには、受け口３０Ａの上端から径方向外側に拡径するフランジ４４と、受け口３０Ａの上端から受け口３０Ａの軸線Ｊ２に沿って所定の高さ下降した（即ち、所定の距離で図２に図示略の曲管部側に進んだ）位置で内壁面から径方向内側に突出するリブ４６が設けられている。リブ４６が設けられているのは、受け口３０Ａの内径が縮小されることで、ベンチュリ効果と類似した効果が発揮され、満流状態が発生し易くなり、サイフォン現象が発生するからである。軸線Ｊ２に沿う方向において、受け口３０Ａの上端からリブ４６までの受け口３０Ａの内壁面には、サイフォンドレン部材５１の装着筒６２に対して螺合可能となるように雌ねじが形成されている。
【００２７】
サイフォンドレン部材５１は、装着筒６２の雄ねじを受け口３０Ａの雌ねじに螺合させつつ、フランジ６４，４４同士の間に集水口１２周囲の軒樋１０の底面１０ｂを挟み込むようにして、軒樋１０に装着されると共に、エルボ１４の受け口３０Ａに接続されている。
【００２８】
図３に示すように、サイフォンドレン部材５２は、板状に形成された蓋７１と、落し口８０を構成し、上面視で落し口８０に重ならない位置で蓋７１の外周に沿って間隔をあけて配置され、かつ蓋７１の底面から下方に延びて蓋７１を支持する複数の縦リブ７３と、蓋７１の底面から垂下すると共に径方向に沿って上面視で放射状に形成されたガイド部７８と、蓋７１の外周に沿って間隔をあけて配置され、かつ蓋７１の上面から上方に突出するように設けられた位置決めリブ７７と、を備えている。ガイド部７８の下端は、側面視で蓋７１の径方向中心から外側に進むに従って漸次、蓋７１に近づくように形成され、テーパー状又はベルマウス形状をなしている。このような蓋７１によって、エルボ１４ひいては直管２０（即ち、竪樋）への空気の巻き込みが少なくなるため、満流状態が発生し易くなり、サイフォン現象が発生する。
【００２９】
サイフォンドレン部材５２は、連結部材９０を介してエルボ１４の受け口３０Ａに接続されている。連結部材９０は、受け口３０Ａに内嵌可能な筒状部９２と、筒状部９２の上端から拡径するフランジ９４と、を備えている。連結部材９０は、筒状部９２が集水口１２に挿通すると共に、フランジ９４の底面が集水口１２周囲の軒樋１０の底面１０ｂに載った状態で、軒樋１０の底面１０ｂに係止されている。サイフォンドレン部材５２の複数の縦リブ７３の底面は、連結部材９０のフランジ９４の上面に合った形状に加工されている。複数の縦リブ７３とフランジ９４、及び筒状部９２と受け口３０Ａは、それぞれ、接着剤等によって接着されていてもよく、融着されていてもよい。また、サイフォンドレン部材５１を用いた上述の構成例と同様に、筒状部９２の外周面に雄ねじが形成され、受け口３０Ａの内周面に雌ねじが形成され、筒状部９２と受け口３０Ａが螺合されていてもよい。
【００３０】
上述したように、エルボ１４は、サイフォン発生部５０の下流側に設置されるエルボであって、サイフォン発生部５０が設けられた軒樋１０の下流側（即ち、雨水が集まる側）の集水口１２には、エルボ１４の受け口（一端）３０Ａが接続されている（図１参照）。
【００３１】
図４及び図５に示すように、エルボ１４は、曲管部３２と、曲管部３２の両端に設けられた受け口３０Ａ，３０Ｂを備えている。曲管部３２は、側面視で略９０°に屈曲するように形成されている。
【００３２】
図４に示すように、曲管部３２の管軸Ａを含む平面（即ち、図４の紙面）における断面で見たときの曲管部３２の内周側３２Ｎの内壁面Ｐ３２の曲率半径は、少なくとも０ｍｍよりも大きく、かつ、６４ｍｍよりも小さい。管軸Ａは、名前の通りエルボ１４の曲管部３２及び受け口３０Ａ，３０Ｂの径方向中心を通る軸であり、受け口３０Ａの中心Ｃ１と受け口３０Ｂの中心Ｃ２の両方を通る。受け口３０Ａから流入した雨水を円滑に流動させる点から、内壁面Ｐ３２の曲率半径は、１３ｍｍよりも大きいことが好ましく、２０ｍｍよりも大きいことがより好ましい。また、曲管部３２の全体の寸法を小さくする点から、内壁面Ｐ３２の曲率半径は、６０ｍｍよりも小さいことが好ましく、４５ｍｍよりも小さいことがより好ましい。曲管部３２における外周側３２Ｕの内壁面の曲率半径は、内壁面Ｐ３２の曲率半径等に合わせて適宜設定されている。
【００３３】
図４に示すように、受け口３０Ａ，３０Ｂの各々を通る軸線Ｊ２，Ｊ３同士が側面視において所定の角度θで交差し、角度θは９１．１°とされている。
なお、角度θを、例えば１００°または１２０°または１３５°に設定してもよい。角度θを大きくすることで排水の流れをスムーズにすることができる。
【００３４】
図４に示すように、受け口３０Ａの中心Ｃ１と受け口３０Ｂの中心Ｃ２との直線距離を距離Ｌとし、受け口３０Ａ，３０Ｂの内径を直径Ｄとする。排水に最低限必要な流量を稼ぐための内径と、上述した内壁面Ｐ３２の曲率半径を稼ぐための継手の寸法と、継手全体の寸法を小さくしてサイフォン雨樋システム１の収まりを小さくすること、を同時に達成することができる数値範囲として、直径Ｄは６０ｍｍ以上１６７ｍｍ以下とされ、好ましくは７５ｍｍ以上１１５ｍｍ以下とされている。また、距離Ｌは９９ｍｍ以上２６３ｍｍ以下とされ、好ましくは１３０ｍｍ以上１９０ｍｍ以下とされている。従って、（Ｌ／Ｄ）は１．４５以上２．２０以下であることが好ましく、１．５０以上２．００以下であることがより好ましい。
【００３５】
上述の構成を備えることにより、十分な排水量とスムーズな排水流れが実現されると同時に、継手全体の寸法が小さくなったため、軒樋１０の底面１０ｂと直管１６の中心軸との距離を小さくすることができる。また、サイフォン現象発生時の振動や強風などによって直管１６に外力がかかった場合でも、軒樋１０とエルボ１４との接合部や、エルボ１４自体等にかかる応力を小さくすることができ、軒樋１０やエルボ１４の損傷を防ぐことができる。具体的には、軒樋１０の底面１０ｂと直管１６の中心軸との距離（最短距離）は、１４０ｍｍ未満であることが好ましく、１３０ｍｍ未満であることがより好ましい。
【００３６】
図１に示すように、エルボ１４の受け口３０Ｂには、直管１６の一端（即ち、上流側の端部）が接続されている。直管１６の他端（即ち、下流側の端部）には、エルボ１８の受け口３０Ａが接続されている。エルボ１８は、エルボ１４と同一の構成を備えている。エルボ１８の受け口３０Ｂには、直管２０の一端（即ち、上流側の端部）が接続されている。
【００３７】
エルボ１４，１８をはじめとするサイフォン雨樋システム１の各構成要素の素材としては、例えば塩化ビニルが挙げられ、特に硬質塩化ビニルが好ましい。
【００３８】
以上説明した第一実施形態のエルボ１４，１８及びサイフォン雨樋システム１によれば、内壁面Ｐ３２の曲率半径が０ｍｍよりも大きく、かつ、６４ｍｍよりも小さいので、軒樋１０の集水口１２からエルボ１４，１８の受け口３０Ａに導かれて流入した雨水Ｗを内壁面Ｐ３２で滞らせずに、受け口３０Ｂに向かって円滑に流すことができる（図４及び図５参照）。また、内壁面Ｐ３２の曲率半径が６４ｍｍよりも小さいので、曲管部３２の曲率及びエルボ１４，１８全体の大きさが適度になり、サイフォン雨樋システム１の収まりを良くすることができる。
【００３９】
また、第一実施形態のサイフォン雨樋システム１によれば、サイフォン発生部５０がサイフォンドレン部材５１，５２に例示される部材であり、集水口１２にエルボ１４の受け口３０Ａが接続されているので、軒樋１０によって集水口１２に集められた雨水を軒樋１０の底面１０ｂと網６１や蓋７１との間、かつ複数の縦リブ６３，７３の間から落し口７０，８０に導き、集水口１２及びエルボ１４に満水状態で流入させ、サイフォン現象を良好に発生させることができる。
【００４０】
なお、第一実施形態においては、サイフォン雨樋システム１は、軒樋１０と直管２０との間に二つのエルボ１４，１８を備え、エルボ１４、１８間に一つの直管１６を備えている。しかしながら、サイフォン雨樋システム１はこのような構成を備えている雨樋システムに限られず、少なくとも二つのエルボと、当該二つ以上のエルボ間に少なくとも一つ以上の直管１６と、を備えていればよく、軒樋１０と直管２０との間に三つ以上のエルボと、当該三つ以上のエルボ間に２つ以上の直管１６と、を備えていてもよい。
【００４１】
（第二実施形態）
本発明を適用した第二実施形態のサイフォン雨樋システム（雨樋）は、図示していないが、第一実施形態のサイフォン雨樋システムにおけるエルボ１４，１８の少なくとも一方を、図６に示すエルボ１００Ａ，１００Ｂを備えた組み合わせエルボ１１０に置き換えたものである。例えば、組み合わせエルボ１１０においては、軒樋１０（雨樋上流部）の下流側にエルボ１００Ａの受け口（一端）３０Ａが接続され、エルボ１００Ｂの受け口（他端）３０Ｂが直管（雨樋下流部）２０に接続されている（図１参照）。なお、エルボ１００Ａ，１００Ｂに共通する点についてはエルボ１００としてまとめて記載する。また、図６に示すエルボ１００の構成要素において、エルボ１４の構成要素と同一のものについては、同一の符号を付し、その説明を省略する。
【００４２】
図６に示すように、エルボ１００は、両端の受け口３０Ａ，３０Ｂと、受け口３０Ａ，３０Ｂ同士の間を連結する曲管部３２と、を有する。曲管部３２は、側面視で４５°以下に屈曲するように形成されている。即ち、受け口３０Ａ，３０Ｂの各々を通る軸線Ｊ２，Ｊ３同士が側面視において４５°以下で交差する曲管部３２を有している。本実施形態においては、曲管部３２は、受け口３０Ａ，３０Ｂの各々を通る軸線Ｊ２，Ｊ３同士が側面視において４５°で交差するよう形成されている。曲管部３２における内周側３２Ｎの内壁面Ｐ３２の曲率半径は、０ｍｍよりも大きく、かつ、６４ｍｍよりも小さい。このような構成を備えた二つのエルボ１００Ａ，１００Ｂの組み合わせによって、エルボ１００Ａの受け口３０Ａを通る軸線Ｊ２とエルボ１００Ｂの受け口３０Ｂを通る軸線Ｊ３とが側面視において９０°で交差し、全体として９０°曲がりの組み合わせエルボ１１０が構成されている。そのため、エルボ１１０は曲管部３２を二カ所有している。
【００４３】
また、エルボ１００Ａ、１００Ｂの各々の受け口３０Ａ，３０Ｂの各々を通る軸線Ｊ２，Ｊ３同士が側面視においてなす角度は４５°以下であれば特に限定されるものではなく、また、エルボ１００Ａと１００Ｂのそれぞれが異なる角度であっても良く、エルボ１００Ａと１００Ｂを組み合わせた時に９０°以下となれば特に限定されない。
【００４４】
図６に示すように、組み合わせエルボ１１０は、二つのエルボ１００Ａ，１００Ｂと、短管１０５と、を備えている。短管１０５は、エルボ１００Ａの受け口３０Ｂとエルボ１００Ｂの受け口３０Ａとに隙間なく内嵌されると共に、エルボ１００Ａ，１００Ｂ同士を隙間なく連結している。短管１０５の内壁面Ｐ１０５は、二つのエルボ１００Ａ，１００Ｂの内壁面と間に排水流の妨げになるような段差を形成することなく接続するように形成されている。このような構成により、エルボ１００Ａの受け口３０Ａに流入し、エルボ１００Ｂの受け口３０Ｂに向けて排水される排水流が短管１０５とエルボ１００Ａの曲管部３２とエルボ１００Ｂの曲管部３２との連結部分で乱されることなく円滑に流れる。なお、二つのエルボ１００Ａ，１００Ｂの内壁面Ｐ３２と短管１０５の内壁面Ｐ１０５が段差なく滑らかに接続されれば、短管１０５の長さは、エルボ１００Ａの受け口３０Ｂの長さとエルボ１００Ｂの受け口３０Ａの長さの合計より大きくてもよい。
【００４５】
第二実施形態のエルボ１００、組み合わせエルボ１１０及びサイフォン雨樋システムによれば、内壁面Ｐ３２が傾斜面になっているので、第一実施形態のエルボ１４，１８及びサイフォン雨樋システム１と同様に、受け口３０Ａに導かれて流入した雨水を内壁面Ｐ３２で滞らせずに満水状態で、受け口３０Ｂに向かって円滑に流すことができる。また、サイフォン雨樋システム１の収まりを良くすることができる。
【００４６】
なお、第二実施形態のサイフォン雨樋システム１は、軒樋１０と直管２０との間に、両端にエルボ１１０を接続した直管１６を備え、上流側のエルボ１１０が軒樋１０の底面１０ｂと接続され、下流側のエルボ１１０と直管２０とが接続されているが、これに限るものではなく、少なくとも二つのエルボ１１０と、当該二つ以上のエルボ１１０間に少なくとも一つ以上の直管１６とを備えていればよく、軒樋１０と直管２０との間に三つ以上のエルボ１１０と、当該三つ以上のエルボ１１０同士の間に二つ以上の直管１６と、を備えていてもよい。
【００４７】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００４８】
例えば、本発明に係るエルボの曲管部における内周側の内壁面は、内壁面の曲率半径が０ｍｍよりも大きく、かつ、６４ｍｍよりも小さくなる曲面と、傾斜面との組み合わせで構成されていてもよい。
【００４９】
また、本発明における雨樋上流部は、軒樋に限定されず、集水口が形成可能、かつサイフォン発生部を設けることができるものであればよく、あらゆる樋部材や集水器を含む。例えば、雨樋上流部は、コンクリート製の建築物の屋根スラブに形成された排水溝と、建築物の屋根スラブを貫通するように埋設されたエルボ１４、直管１６、エルボ１８および直管２０と、を備え、サイフォン発生部を当該排水溝の底面且つエルボ１４の上部に設けたサイフォン排水システムであってもよい。
【００５０】
また、サイフォン発生部５０の構成は、上述のサイフォンドレン部材５１，５２に限定されず、雨水を集水口１２に満水状態で流入させることができる構成であればよく、例えば、特開２０１２−１３２１９２に記載されたような水を貯留させる水溜め容器によってサイフォンを発生させる部材などが挙げられ、この部材の下流側に本発明に係るエルボを設置してもよい。任意の部材を設けなくとも雨水が集水口１２に満水状態で流入可能であれば、集水口１２自体がサイフォン発生部として機能し得る。
【実施例】
【００５１】
続いて、本発明に係るエルボの実施例について説明する。なお、本発明に係るエルボの構成及び作用効果は、以下の実施例に限定されるものではない。
【００５２】
（実施例）
図１に示すサイフォン雨樋システム１の軒樋１０、サイフォン発生部５０、及びエルボ１４を備え、集水口１２にエルボ１４の受け口３０Ａを接続したモデルを用意した。実施例１のエルボ１４では、曲管部３２の管軸Ａを含む平面における断面で見たときの曲管部３２の曲管部３２の内周側３２Ｎの内壁面Ｐ３２の曲率半径を３３ｍｍとした。サイフォン発生部５０には、サイフォンドレン部材５１，５２の二種類を用意した。サイフォン雨樋システム１の軒樋１０、サイフォン発生部５０、及びエルボ１４の素材は、硬質塩化ビニルとした。軒樋１０への排水量を３．０Ｌ／ｓｅｃと６．０Ｌ／ｓｅｃとし、サイフォン発生時及び未発生時における軒樋１０の排水の水位を測定し、排水の様子を観察した。
【００５３】
（比較例）
実施例におけるエルボ１４を従来の９０°曲がりエルボ（所謂、ＤＬ）に替えて排水の様子を観察した。この９０°曲がりエルボでは、受け口の中心を通る断面で見たときの曲管部における内周側の内壁面の曲率半径は０ｍｍであった。
【００５４】
【表１】
2019007220.tif 000003
【００５５】
実施例及び比較例における排水の様子を観察した結果を表１に示す。なお、表１におけるエルボの欄の「ＭＬ」は、エルボ１４を表し、サイフォン発生部の欄の「Ｎ」はサイフォンドレン部材５１を表し、サイフォン発生部の欄の「Ｓ」はサイフォンドレン部材５２を表す。
【００５６】
排水量が３．０Ｌ／ｓｅｃであって、エルボ１４を用いた場合、サイフォン発生部の構成によらず、周期的かつ安定的に高排水が発生し、排水性が良くなった。一方、同排水量で従来のＤＬを用いた場合、５秒に１回程度の頻度で高排水が発生し、周期性はあまり見られず、エルボ１４を用いた場合に比べて排水性はさほど向上しなかった。また、排水量が３．０Ｌ／ｓｅｃであるときには、本発明に係るエルボを用いた場合も従来のＤＬを用いた場合でも、サイフォン発生部の構成による排水の様子の大きな差は見られなかった。
【００５７】
排水量が６．０Ｌ／ｓｅｃであって、エルボ１４を用いた場合、３秒に１回程度の頻度で高排水が安定的に発生し、水位が低下すると共に排水性が良くなった。一方、同排水量で従来のＤＬを用いた場合、エルボ１４を用いた場合と同様の頻度で高排水が発生するものの、エルボ１４を用いた場合に比べて排水性はさほど向上しなかった。
【００５８】
表１からわかるように、同じ排水量及びサイフォン発生部の構成においては、本発明に係るエルボ用いた場合の方が従来のＤＬを用いた場合に比べて落し口水位のサイフォン発生時と未発生時との差が小さく、排水性能が高くなることを確認した。
【符号の説明】
【００５９】
１…サイフォン雨樋システム
１４，１８，１００，１００Ａ，１００Ｂ…エルボ
３０Ａ，３０Ｂ…受け口
３２…曲管
Ｐ３２…内壁面
５０…サイフォン発生部
【図１】
2019007220.tif 000004
【図２】
2019007220.tif 000005
【図３】
2019007220.tif 000006
【図４】
2019007220.tif 000007
【図５】
2019007220.tif 000008
【図６】
2019007220.tif 000009
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
軒樋と、前記軒樋の底面に形成された集水口を貫通する筒状部を備えたサイフォン現象を発生させるためのサイフォン発生部と、前記サイフォン発生部の筒状部と接続された組合せエルボと、を備えたサイフォン雨樋システムであって、
前記組合せエルボは、少なくとも２つのエルボと短管とより構成され、
前記エルボは、曲管部と、前記曲管部の両端に設けられた受け口と、を備え、
前記組合せエルボは、一のエルボの受け口と他のエルボの受け口との間に前記短管が嵌合されるようにして接続され、かつ、前記曲管部の管軸を含む平面における断面で見たときに、内周側の内壁面の曲率半径が０ｍｍよりも大きく、かつ、６４ｍｍよりも小さく、かつ、両端の前記受け口を通る軸線同士が４５°以下で交差するように構成され、
前記組合せエルボの一端は、前記サイフォン発生部の下流側に直接接続され、
前記組合せエルボの他端は、雨樋下流部に接続されていることを特徴とするサイフォン雨樋システム。
【請求項２】
軒樋と、前記軒樋の底面に形成された集水口を貫通する筒状部を備えたサイフォン現象を発生させるためのサイフォン発生部と、前記サイフォン発生部の筒状部と接続されたエルボと、を備えたサイフォン雨樋システムであって、
前記エルボは、曲管部と、前記曲管部の両端に設けられた受け口と、を備え、
前記曲管部は、前記曲管部の管軸を含む断面で見たときの前記曲管部における内周側の内壁面の曲率半径が０ｍｍよりも大きく、かつ、６４ｍｍよりも小さくなるように構成され、
前記エルボの一端は、前記サイフォン発生部の下流側に直接接続され、
前記エルボの他端は、雨樋下流部に接続されていることを特徴とするサイフォン雨樋システム。
【請求項３】
前記サイフォン発生部は軒樋の底面に形成された集水口の開口を覆うように前記軒樋の底面の上方に配置された蓋部材であり、
前記集水口に前記エルボが接続されていることを特徴とする請求項１または２に記載のサイフォン雨樋システム。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明に係るサイフォン雨樋システムは、軒樋と、前記軒樋の底面に形成された集水口を貫通する筒状部を備えたサイフォン現象を発生させるためのサイフォン発生部と、前記サイフォン発生部の筒状部と接続された組合せエルボと、を備えたサイフォン雨樋システムであって、前記組合せエルボは、少なくとも２つのエルボと短管とより構成され、前記エルボは、曲管部と、前記曲管部の両端に設けられた受け口と、を備え、前記組合せエルボは、一のエルボの受け口と他のエルボの受け口との間に前記短管が嵌合されるようにして接続され、かつ、前記曲管部の管軸を含む平面における断面で見たときに、内周側の内壁面の曲率半径が０ｍｍよりも大きく、かつ、６４ｍｍよりも小さく、かつ、両端の前記受け口を通る軸線同士が４５°以下で交差するように構成され、前記組合せエルボの一端は、前記サイフォン発生部の下流側に直接接続され、前記組合せエルボの他端は、雨樋下流部に接続されていることを特徴とする。
また、本発明に係るサイフォン雨樋システムは、軒樋と、前記軒樋の底面に形成された集水口を貫通する筒状部を備えたサイフォン現象を発生させるためのサイフォン発生部と、前記サイフォン発生部の筒状部と接続されたエルボと、を備えたサイフォン雨樋システムであって、前記エルボは、曲管部と、前記曲管部の両端に設けられた受け口と、を備え、前記曲管部は、前記曲管部の管軸を含む断面で見たときの前記曲管部における内周側の内壁面の曲率半径が０ｍｍよりも大きく、かつ、６４ｍｍよりも小さくなるように構成され、前記エルボの一端は、前記サイフォン発生部の下流側に直接接続され、前記エルボの他端は、雨樋下流部に接続されていることを特徴とする。